(57)【要約】【課題】  ナースコール親機に互いに異なる患者情報を表示可能とした２台のディスプレイを配置し、少なくとも一方のディスプレイを患者情報の一覧を表示するボード部として利用可能としたナースコールシステムを提供する。【解決手段】  ナースコール親機３が患者情報を表示するための第１及び第２ディスプレイ３３，３４と、第１ディスプレイ３３の表示を制御する第１表示制御部３３ａ及び第２ディスプレイ３４の表示を制御する第２表示制御部３４ａと、第１及び第２ディスプレイ３３，３４に表示する患者情報を設定する第１操作部３３ｂ及び第２操作部３４ｂとを具備し、第１及び第２表示制御部は、第１及び第２ディスプレイ３３，３４にそれぞれに設定された形態で患者情報の一覧を表示し、更に患者からの呼び出しを受けて呼出元患者情報をポップアップ表示する。【選択図】  図２
2014171529.tif 000002
【特許請求の範囲】
【請求項１】
ベッド毎に設置されて患者が看護師を呼び出して通話するためのナースコール子機と、ナースステーションに設置されて前記ナースコール子機からの呼び出しに応答するためのナースコール親機と、前記ナースコール子機と前記ナースコール親機との間の通信を制御する制御機とを有するナースコールシステムにおいて、
個々の患者の看護に関連する情報を記憶する患者情報記憶手段を有すると共に、
前記ナースコール親機は、患者情報を表示するための第１ディスプレイ及び第２ディスプレイと、前記第１及び第２ディスプレイに表示する患者情報を設定する設定手段と、前記第１ディスプレイの表示を制御する第１表示制御部及び前記第２ディスプレイの表示を制御する第２表示制御部とを具備し、
前記第１及び第２表示制御部は、前記第１及び第２ディスプレイに、同一患者の患者情報一覧をそれぞれに設定された形態で表示し、更に患者からの呼び出しが発生したら少なくとも一方の前記ディスプレイに呼出元患者情報をポップアップ表示させることを特徴とするナースコールシステム。
【請求項２】
前記ナースコール親機は、前記第１及び第２ディスプレイに表示する患者情報一覧の形態と、ポップアップ表示する呼出元患者情報の形態とを関連付けた表示形態記憶部を有し、
前記第１及び第２表示制御部は、それぞれの前記ディスプレイに患者情報一覧を表示させた状態で患者からの呼び出しが発生したら、表示されている患者情報の一覧に関連付けられている形態で呼出元患者情報をポップアップ表示することを特徴とする請求項１記載のナースコールシステム。
【請求項３】
前記ナースコール親機は、ポップアップ表示する呼出元患者情報の形態を患者毎に設定可能であり、設定した患者毎の形態を記憶するポップアップ情報記憶部を有し、
前記第１及び第２表示制御部は、前記ナースコール子機による呼び出しが発生したら、患者に関連付けられている形態で呼出元患者情報をポップアップ表示させることを特徴とする請求項１記載のナースコールシステム。
【発明の詳細な説明】
【技術分野】
【０００１】
本発明はナースコールシステムに関し、特にナースコール親機に別途患者情報を表示するディスプレイを設けたナースコールシステムに関する。
に関する。
【背景技術】
【０００２】
ナースコールシステムは、患者が看護師を呼び出すためのナースコール子機と、患者からの呼び出しに看護師が応答するためのナースコール親機とを備えている。
このナースコール親機は、入院患者の患者毎の患者名と救護区分や診療科目等を一体に表示した患者情報表示部を一覧にして入院患者全体を表示したボード部と、患者からの呼び出しに応答するための通話部とを備えたボード型親機が普及している。
また、ナースステーションに居ない看護師でも応答できるように携帯端末を備えたシステムでは、携帯端末を含む各種設定を行うためにパーソナルコンピュータから成るＰＣ親機を更に備えたシステムがある（例えば、特許文献１参照）。
【先行技術文献】
【特許文献】
【０００３】
【特許文献１】特開２００５−３４９０２０号公報
【発明の概要】
【発明が解決しようとする課題】
【０００４】
上記従来のナースコールシステムでは、ＰＣ親機を備えることで各種の患者情報をＰＣ親機のディスプレイに表示することが可能となり、看護師により情報を得やすい表示形態を選択することができる。
しかしながら、ミーティング時や患者の詳細情報を確認したい場合には、その画面から別の画面に移行させる場合があり、その時に患者からの呼び出しが発生したら、表示を戻さなければならなかった。また、別途大きな画面で表示させたい場合には、大型モニタを接続することは可能であるが、既存のディスプレイと同一の表示になるため、利便性に欠けるものであった。
一方で、ナースコール親機において、互いに異なる情報を表示できる２台のディスプレイを設ければ、看護師の要求に応じた表示を行わせることができるし、１台を上述したボード部として使用することも可能であり、従来のボード型親機を不要にできる。
【０００５】
そこで、本発明はこのような問題点に鑑み、ナースコール親機に互いに異なる患者情報を表示可能とした２台のディスプレイを配置し、少なくとも一方のディスプレイを患者情報の一覧を表示するボード部として利用可能としたナースコールシステムを提供することを目的としている。
【課題を解決するための手段】
【０００６】
上記課題を解決する為に、請求項１の発明は、ベッド毎に設置されて患者が看護師を呼び出して通話するためのナースコール子機と、ナースステーションに設置されてナースコール子機からの呼び出しに応答するためのナースコール親機と、ナースコール子機とナースコール親機との間の通信を制御する制御機とを有するナースコールシステムにおいて、個々の患者の看護に関連する情報を記憶する患者情報記憶手段を有すると共に、ナースコール親機は、患者情報を表示するための第１ディスプレイ及び第２ディスプレイと、第１及び第２ディスプレイに表示する患者情報を設定する設定手段と、第１ディスプレイの表示を制御する第１表示制御部及び第２ディスプレイの表示を制御する第２表示制御部とを具備し、第１及び第２表示制御部は、第１及び第２ディスプレイに、同一患者の患者情報の一覧をそれぞれに設定された形態で表示し、更に患者からの呼び出しが発生したら少なくとも一方のディスプレイに呼出元患者情報をポップアップ表示させることを特徴とする。
この構成によれば、ナースコール親機は、互いに独立した表示を実施できる２つのディスプレイを備えるため、一方が患者からの呼び出しに応答するためのボード部として使用されている状態でも、他方を異なる形態で患者情報一覧を表示させることができ、利便性が向上する。
また、患者からの呼び出しを受けて、少なくとも一方のディスプレイには呼出元患者情報がポップアップ表示されるため、呼出元患者情報を把握し易い。
【０００７】
請求項２の発明は、請求項１に記載の構成において、ナースコール親機は、第１及び第２ディスプレイに表示する患者情報一覧の形態と、ポップアップ表示する呼出元患者情報の形態とを関連付けた表示形態記憶部を有し、第１及び第２表示制御部は、それぞれのディスプレイに患者情報一覧を表示させた状態で患者からの呼び出しが発生したら、表示されている患者情報の一覧に関連付けられている形態で呼出元患者情報をポップアップ表示することを特徴とする。
この構成によれば、呼び出しを受けてポップアップ表示される呼出元患者情報の表示形態は、待受時に表示されている情報に関連付けられているため、例えば個々の患者情報が詳細に表示されている場合でも、更に詳細な情報を表示するよう形態を設定できる。よって、ポップアップ表示された情報を有効に利用できる。また、プライバシーに配慮して情報の少ない簡易形態で患者情報一覧が表示されている場合は、ポップアップした情報も患者を特定できない形態を選択することで、引き続きプライバシーに配慮した表示を実施できる。
【０００８】
請求項３の発明は、請求項１に記載の構成において、ナースコール親機は、ポップアップ表示する呼出元患者情報の形態を患者毎に設定可能であり、設定した患者毎の形態を記憶するポップアップ情報記憶部を有し、第１及び第２表示制御部は、ナースコール子機による呼び出しが発生したら、患者に関連付けられている形態で呼出元患者情報をポップアップ表示させることを特徴とする。
この構成によれば、呼出時に表示される呼出元患者情報の形態が患者毎に設定できるため、患者の状況に合わせて表示させることができる。例えば、名前を伏せたい患者は名前が出ない形態で患者情報をポップアップ表示させることも可能であり、患者に配慮できる。
【発明の効果】
【０００９】
本発明によれば、ナースコール親機は、互いに異なる患者情報を表示可能な２つのディスプレイを備えるため、一方が患者からの呼び出しに応答するために使用されている状態でも、他方を異なる形態で患者情報一覧を表示させることができ、利便性が向上する。
また、患者情報の一覧を表示した状態で、患者からの呼び出しを受けて呼出元患者情報がポップアップ表示されるため、呼出元の患者を把握し易い。
【図面の簡単な説明】
【００１０】
【図１】本発明に係るナースコールシステムの一例を示す構成図である。
【図２】ナースコール親機の回路ブロック図である。
【図３】第１ディスプレイの表示説明図である。
【図４】図３の患者情報表示部の拡大図である。
【図５】図３のポップアップ表示部の説明図である。
【図６】第２ディスプレイの表示説明図である。
【図７】図６のポップアップ表示部の説明図である。
【図８】ポップアップ表示する呼出元患者情報の他の形態の説明図である。
【図９】ポップアップ表示する呼出元患者情報の他の形態の説明図である。
【図１０】ポップアップ表示する呼出元患者情報の他の形態の説明図である。
【発明を実施するための形態】
【００１１】
以下、本発明を具体化した実施の形態を、図面を参照して詳細に説明する。図１は本発明に係るナースコールシステムの一例を示す構成図であり、１はベッド毎に設置されて患者が看護師を呼び出して通話するためのナースコール子機、２は病室の出入口に設置されて患者からの呼出発生を通知する廊下灯、３はナースステーションに設置されて呼出発生を受けて応答するためのナースコール親機、４は呼出／応答に加えて機器間の通信を制御する制御機、５は患者を撮像するためのカメラ、６は看護師が携行して呼び出しに応答するための携帯端末、７は携帯端末６との通信を管理する交換機、８は携帯端末６と通信するために、所定の間隔で複数設置された基地局である。
【００１２】
廊下灯２、ナースコール親機３、制御機４、カメラ５等はそれぞれＨＵＢ１０を介して互いにＬＡＮ接続されている。一方、ナースコール子機１は病室毎に廊下灯２に伝送線Ｌ１を介して接続され、交換機７は制御機４に伝送線Ｌ２で接続されている。また、基地局８は交換機７に接続されている。
【００１３】
ナースコール子機１は、呼出ボタン１ａと壁面に設置されたプレート子機１ｂを有し、プレート子機１ｂは、呼出ボタン１ａの接続部及び通話部を備えている。また、廊下灯２は、呼出発生をＬＥＤ等の点灯或いは点滅で通知する表示灯２ａ、患者氏名等の患者情報を表示する液晶表示部２ｂ等を備えている。
【００１４】
ナースコール親機３は、患者からの呼び出しに応答するためのハンドセットを備えた通話部３１、及び呼出元情報等を表示する表示部３２、更に患者情報の一覧を表示するボード部としてのディスプレイ（第１ディスプレイ）３３を備えたボード型親機３０と、別途患者情報を表示するディスプレイ（第２ディスプレイ）３４と、第１ディスプレイ３３と第２ディスプレイ３４の表示を管理する管理装置３５とを備えている。
第１ディスプレイ３３は縦長に配置されて、従来のボード型親機のボード部として使用し易く構成されている。一方、第２ディスプレイ３４は、ミーティング等でも活用できるよう比較的大型のディスプレイが使用され、例えば第１ディスプレイ３３は２４型の液晶ディスプレイが使用されるのに対して、第２ディスプレイ３４は３２型の液晶ディスプレイが使用される。
【００１５】
図２は、このナースコール親機３の要部回路ブロック図を示している。図２に示すようにボード型親機３０は、通話部３１、表示部３２に加えて、呼出音等の報音や通話音声を制御する音声処理部３８、ボード型親機３０を制御する親機ＣＰＵ３９、ＨＵＢ１０に接続して制御機４と通信する親機ＩＦ４０等を備えている。
管理装置３５は、第１ディスプレイ３３を制御する第１表示制御部３３ａ、第２ディスプレイ３４を制御する第２表示制御部３４ａ、第１ディスプレイ３３に組み付けられたタッチパネルから成る第１操作部３３ｂ、第２ディスプレイ３４に組み付けられたタッチパネルから成る第２操作部３４ｂ、各種患者情報を記憶する患者情報記憶部３６、ディスプレイ上の各種表示形態を記憶する表示形態記憶部３７、管理装置３５全体を制御する管理装置ＣＰＵ４１、ＨＵＢ１０に接続して制御機４と通信する管理装置ＩＦ４２等を備えている。
【００１６】
表示形態記憶部３７には、患者情報の一覧をディスプレイ３３，３４に表示する際に使用する個々の患者の患者情報の複数の表示形態や、患者から呼び出しが発生した際に表示する呼出元患者情報の複数の表示形態が記憶されており、この記憶情報を基に各種形態で患者情報が表示される。
図３は、こうして設定された患者情報のうちの１つの形態で病棟全体の患者情報の一覧を表示した第１ディスプレイ３３を示し、加えて呼出元患者情報をポップアップ表示した状態を示している。また、図４は図３の患者情報の一覧表示に使用されている患者情報表示部Ｊ１の拡大図を示し、図５はポップアップ表示した呼出元患者情報Ｊ２の拡大図を示している。
【００１７】
図３に示すように、表示されている患者情報の一覧は、個々の患者情報表示部Ｊ１を単純に並べて構成され、従来のボード部に対応する表示がなされている。そして、患者情報表示部Ｊ１は、図４に示すように患者氏名や病室番号Ｒ１、ベッド番号Ｒ２の表示部に加えて、救護区分表示部Ｐ１、点滴表示部Ｐ７、術後表示部Ｐ８等を有し、患者情報が一覧表示された状態でこれらの情報を確認できる。尚、Ｍは通知灯であり、呼び出しが成されたら点滅するよう表示されて、従来のボード部と同様に呼出元であることが分かるように表示動作するよう構成されている。
また図５に示すように、ポップアップされた呼出元患者情表示部Ｊ２は、略中央に患者氏名が表示され、左上にナースコール子機１の呼出ボタン１ａの操作による呼び出しであることが「ナースコール」として表示されている。そして、診療科目Ｐ２、担当医師Ｐ３、担当看護師Ｐ４、障害情報Ｐ５、患者状態・感染情報Ｐ６が表示され、患者情報表示部Ｊ１より更に詳しい情報が表示される。
【００１８】
図６は患者情報の一覧を表示した第２ディスプレイ３４を示し、加えて呼出元患者情報Ｊ４をポップアップ表示した状態を示している。図６に示すように病棟レイアウトを表示し、患者情報表示部Ｊ３を、病棟レイアウト上に実際の患者の場所に合わせて表示している。こうして、上記図３と同様に病棟全体の患者情報の一覧を表示している。但し、病室番号と患者氏名の表示を基本とした少ない情報を表示している。
【００１９】
図７は図６の呼出元患者情報Ｊ４の拡大図であり、ポップアップ表示された呼出元患者情報Ｊ４は、診療科目Ｐ２、担当医師Ｐ３、担当看護師Ｐ４等が表示され、患者の更に詳細な情報を表示している。但し、患者名は表示されず、中央には患者の注意事項をピクトグラムＰｉで表示している。患者のプライバシー保護を優先する場合は、このように一覧表示する患者情報を少ない情報とし、更にポップアップ表示させる情報も、患者名を表示せずに注意事項のみ表示するよう構成しても良い。
ポップアップ表示される情報は、看護師が情報を確認し易くするため大きく表示されるため、結果として遠方からも確認できてしまう。そのため、ナースステーションの外からでも確認できてしまう状況が発生し易く、プライバシーの問題が発生する。そのような場合、ポップアップした情報を図７に示すように患者を特定できない形態とすることで、プライバシーに配慮しながら詳細情報を表示させるとができる。
【００２０】
そして、これらの患者情報表示部Ｊ１，Ｊ３、及びポップアップ表示される呼出元患者情報Ｊ２，Ｊ４の表示形態の組合せは予め設定され、表示形態記憶部３７に記憶されている。呼び出しを受けてポップアップ表示される呼出元患者情報の表示形態を、このように待受時に表示されている情報に関連付けることで、例えば個々の患者情報が詳細に表示されている場合でも、更に詳細な情報を表示するよう設定でき、ポップアップ表示された情報を有効に利用できる。
【００２１】
また、図３、図６において、周囲に表示されているＳ１〜Ｓ６の表示部はタッチパネルで構成される操作ボタンであり、患者情報の一覧表示以外に各種表示が可能となっている。例えば、Ｓ１は患者情報一覧の表示形態を切り替える「表示切替」ボタン、Ｓ２は表示を選択するための一覧を表示する「一覧」ボタン、Ｓ３は患者情報の各種変更を行う「設定」ボタン、Ｓ４は呼出履歴を表示する「履歴」ボタンである。
また、図３に示すように第１ディスプレイ３３の一覧表示部Ｅ１の下部に、また図６に示すように第２ディスプレイ３４の一覧表示部Ｅ１の右側に、各種看護情報を表示する看護情報表示部Ｅ２が設けられている。
図３に示すように、看護情報表示部Ｅ２には、カメラ５の撮像映像の表示Ｅ２ａや携帯端末６の割り当てＥ２ｂ等各種情報が表示される。Ｓ５はこの表示を切り替えるメニューボタンである。
【００２２】
上記の如く構成されたナースコールシステムの呼出／応答動作を次に説明する。先ず、ナースコール親機３の第１ディスプレイ３３、第２ディスプレイ３４は、呼び出しのない待受状態では、上記図３、図６に示すように患者情報の一覧が表示されている。そして、ナースコール子機１の呼出ボタン１ａが押下されて呼び出しが実施されると、呼出信号がナースコール子機１から廊下灯２へ出力され、廊下灯２からナースコール子機ＩＤ（ベッド番号）及び病室ＩＤ（病室番号）が附加された呼出信号が制御機４に送信される。
また廊下灯２は、呼出信号を受けて表示灯２ａを点灯或いは点滅等させて呼出発生を報知し、液晶表示部２ｂに呼出元の患者名を表示する。
【００２３】
廊下灯２から呼出信号を受信した制御機４は、ナースコール親機３に呼出信号を送信すると共に、呼出信号に附加されたナースコール子機ＩＤからナースコール子機１に関連付けられている携帯端末６を選択して呼出信号を送信する。この呼出信号は交換機７、基地局８を介して送信される。尚、ナースコール子機ＩＤに関連付けられた携帯端末６の情報は制御機４が記憶している。
【００２４】
制御機４から呼出信号を受信したナースコール親機３は、通話部３１から呼出報音を行う。また管理装置ＣＰＵ４１の制御で、呼出信号に附加されているナースコール子機ＩＤ、廊下灯ＩＤ情報を元に呼出元の患者を特定して、特定した患者の患者情報を表示部３２に表示させる。更に、管理装置ＣＰＵ４１は第１表示制御部３３ａ及び第２表示制御部３４ａに対して呼出元患者情報をポップアップ表示するよう表示指示信号を出力する。
第１表示制御部３３ａは、この指示を受けて図３に示すように呼出元患者情報をポップアップ表示させる。また。第２表示制御部３４ａも図６に示すように呼出元患者情報をポップアップ表示させる。
【００２５】
この呼出動作を受けて、看護師が例えばナースコール親機３のハンドセットを取りあげれば、制御機４の制御で呼出元のナースコール子機１とナースコール親機３の間の通話路が形成されて通話が可能となる。そして、終話操作されるまで、ポップアップ表示された患者情報は表示を継続し、応答する看護師は患者の情報を確認しながら応答することができる。
尚、呼び出しを受けて呼出元の患者情報をポップアップ表示するディスプレイは少なくとも一方のディスプレイだけでも良い。また、携帯端末６で応答する場合も、制御機４が呼出信号と共に呼出元患者情報を送信することで、携帯端末６においても患者情報が表示され、この情報を見ながら応答することができる。
【００２６】
このように、ナースコール親機３は、互いに独立した表示を実施できる２つのディスプレイ３３，３４を備えるため、一方が患者からの呼び出しに応答するためのボード部として使用されている状態でも、他方を異なる形態で患者情報一覧を表示させることができ、利便性が向上する。
また、患者からの呼び出しを受けて、第１及び第２ディスプレイ３３，３４のうち少なくとも一方が呼出元患者情報をポップアップ表示することで、呼出元患者情報を把握し易い。
【００２７】
図８〜図１０はポップアップ表示する呼出元患者情報の他の形態の例を示し、上述した呼出元患者情報Ｊ２，Ｊ４はこのような形態としても良い。図８は上記図５の形態より情報量を削減した形態を示し、図９は患者の映像を合わせて表示する形態を示している。患者の撮像映像は、制御機４が呼出元のナースコール子機１に関連付けられているカメラ５を起動させて、その撮像映像をナースコール親機３に送信することで表示される。更に、図１０は映像に代えてピクトグラムＰｉによる詳細情報を表示させた形態を示している。
【００２８】
このように複数の表示形態を用意して、待受時の一覧表示の形態と表示情報量のバランスを考慮して呼出元患者情報の形態を選択して組み合わせても良い。
また、病状等で患者毎に重要な情報は異なるため、一覧表示の形態とは関連付けずに、患者毎に呼出元患者情報の形態を選択して設定しても良く、これらの設定も第１操作部３３ｂ、第２操作部３４ｂにより実施され、表示形態記憶部３７に記憶される。
【００２９】
尚、上記実施形態は、第１ディスプレイ３３と第２ディスプレイ３４の双方にタッチパネルから成る第１操作部３３ｂ及び第２操作部３４ｂを設けて、各種表示設定を可能としているが、第１ディスプレイ３３のみタッチパネルを設けて、第２ディスプレイ３４を含めた表示設定を可能としても良い。そうすることで、第２ディスプレイ３４をタッチパネルを取り付けられないような大画面（例えば４０型）にでき、更に幅広い利用が可能となる。
また、第１及び第２操作部３３ｂ，３４ｂはタッチパネルに限定するものでなく、別途設定用のパーソナルコンピュータを接続して各種設定を行ってもよい。
更に、患者情報記憶部３６はナースコール親機３に設けているが、サーバーが接続されている構成ではサーバーに設けても良いし、第１ディスプレイ３３及び第２ディスプレイ３４の表示を管理する管理装置３５は、ボード型親機３０と一体としても良い。
また、ポップアップ表示する呼出元患者情報は、患者の住所や緊急連絡先等まで含む全ての情報としても良い。
【符号の説明】
【００３０】
１・・ナースコール子機、３・・ナースコール親機、３３・・第１ディスプレイ、３３ａ・・第１表示制御部、３３ｂ・・第１操作部（設定手段）、３４・・第２ディスプレイ、３４ａ・・第２表示制御部、３４ｂ・・第２操作部（設定手段）、３６・・患者情報記憶部（患者情報記憶手段）、３７・・表示形態記憶部（ポップアップ情報記憶部）、３９・・親機ＣＰＵ、Ｊ２，Ｊ４・・呼出元患者情報。
【図１】
2014171529.tif 000003
【図２】
2014171529.tif 000004
【図３】
2014171529.tif 000005
【図４】
2014171529.tif 000006
【図５】
2014171529.tif 000007
【図６】
2014171529.tif 000008
【図７】
2014171529.tif 000009
【図８】
2014171529.tif 000010
【図９】
2014171529.tif 000011
【図１０】
2014171529.tif 000012